【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
建物の外装材の端面に、該外装材裏面側の側面が該外装材全体に対して傾斜した傾斜面をなす取付溝を形成する外装材用溝切り回転刃物であって、
軸回りに回転されるようになっているとともに、外周部に刃部を設けられており、この刃部の回転軌跡を径方向に断面してなる回転軌跡断面形状は前記外装材に形成すべき前記取付溝の横断面形状に対応していて、該回転軌跡断面形状の少なくとも一方の側辺は前記回転刃物の回転軸に対し垂直な平面に対して傾斜した傾斜辺をなしている外装材用溝切り回転刃物。
【請求項２】
前記取付溝は前記外装材裏面側の側面が前記外装材全体に対して傾斜した傾斜面をなし、前記外装材表面側の側面が前記外装材全体に対して平行な非傾斜面をなす場合の外装材用溝切り回転刃物であって、
前記回転軌跡断面形状の一方の側辺が前記回転刃物の回転軸に対し垂直な平面に対して傾斜した傾斜辺をなし、他方の側辺が前記回転刃物の回転軸に対し垂直な平面に対して平行な非傾斜辺をなしている請求項１記載の外装材用溝切り回転刃物。
【請求項３】
大略円形の基板と、この基板の外周部に形成された該基板全体に対して傾斜した傾斜面と、この傾斜面を含む前記基板の外周部に固着されたダイヤモンド砥粒とを有し、前記ダイヤモンド砥粒を固着された部分により前記刃部が構成されている請求項１または２記載の外装材用溝切り回転刃物。
【請求項４】
大略円形の基板と、この基板の外周部に固着された硬質材料からなるチップとを有し、前記チップにより前記刃部が構成されている請求項１または２記載の外装材用溝切り回転刃物。
【請求項５】
建物の外装材の端面に、該外装材裏面側の側面が該外装材全体に対して傾斜した傾斜面をなす取付溝を形成する外装材用溝切り装置であって、
溝切り装置本体と、
前記溝切り装置本体に設けられており、前記外装材の端面に摺接される端面ガイド面と、
前記溝切り装置本体に設けられており、前記外装材の裏面に摺接される裏面ガイド面と、
前記裏面ガイド面と平行な平面上において軸回りに回転されるようになっているとともに、外周部に刃部を設けられており、この刃部の回転軌跡を径方向に断面してなる回転軌跡断面形状は前記外装材に形成すべき前記取付溝の横断面形状に対応していて、該回転軌跡断面形状の少なくとも一方の側辺は前記回転刃物の回転軸に対し垂直な平面に対して傾斜した傾斜辺をなしている外装材用溝切り回転刃物と、
前記回転刃物を回転駆動する刃物駆動機構とを有してなり、
前記回転刃物の外周部が前記端面ガイド面から所定突出量だけ突出できるようになっている外装材用溝切り装置。
【請求項６】
建物の外装材を所要サイズとなるように切断する段階と、
軸回りに回転されるようになっているとともに、外周部に刃部を設けられており、この刃部の回転軌跡を径方向に断面してなる回転軌跡断面形状の少なくとも一方の側辺は前記回転刃物の回転軸に対し垂直な平面に対して傾斜した傾斜辺をなしている外装材用溝切り回転刃物を用意する段階と、
切断された前記外装材の端面に、前記回転刃物を回転させながら切り込ませることにより、前記端面に、前記回転軌跡断面形状に対応した横断面形状を有し、該外装材裏面側の側面が該外装材全体に対して傾斜した傾斜面をなす取付溝を形成する段階と、
前記取付溝の前記傾斜面に対応して傾斜する傾斜係合片と前記外装材の裏面に接することとなる裏面対向部とを備えた溝係合部を有する終端用取付金具を用意する段階と、
前記外装材のうちの前記取付溝より裏面側の部分に前記終端用取付金具の前記溝係合部を係合し、前記取付溝の前記傾斜面に前記傾斜係合片を、前記外装材の裏面に前記裏面対向部をそれぞれ接するとともに、前記終端用取付金具を躯体側材に取り付ける段階とを有してなる外装材の取付方法。
【手続補正２】
【補正対象書類名】明細書
【補正対象項目名】０００５
【補正方法】変更
【補正の内容】
【０００５】
外装材は、工場において一定の規格サイズのものが製造され、建築現場に供給される。しかしながら、建物の端部、窓回り、玄関回り等における外装材の接続列の終端部においては、多くの場合、寸法が合わなくなるため、規格サイズの外装材をそのまま使用することはできない。このため、このような箇所では、現場において所要のサイズとなるように規格サイズの外装材を切断して用いている。そして、この場合、外装材の端部に雌実部（または雄実部）が存在しなくなってしまうので、前記取付金具は使用できないため、従来は外装材に板厚方向に釘穴を明け、外装材を直接釘止めしていた。
【手続補正３】
【補正対象書類名】明細書
【補正対象項目名】００１１
【補正方法】変更
【補正の内容】
【００１１】
本発明による外装材用溝切り回転刃物は、
建物の外装材の端面に、該外装材裏面側の側面が該外装材全体に対して傾斜した傾斜面をなす取付溝を形成する外装材用溝切り回転刃物であって、
軸回りに回転されるようになっているとともに、外周部に刃部を設けられており、この刃部の回転軌跡を径方向に断面してなる回転軌跡断面形状は前記外装材に形成すべき前記取付溝の横断面形状に対応していて、該回転軌跡断面形状の少なくとも一方の側辺は前記回転刃物の回転軸に対し垂直な平面に対して傾斜した傾斜辺をなしているものである。
【手続補正４】
【補正対象書類名】明細書
【補正対象項目名】００１２
【補正方法】変更
【補正の内容】
【００１２】
また、本発明による外装材用溝切り装置は、
建物の外装材の端面に、該外装材裏面側の側面が該外装材全体に対して傾斜した傾斜面をなす取付溝を形成する外装材用溝切り装置であって、
溝切り装置本体と、
前記溝切り装置本体に設けられており、前記外装材の端面に摺接される端面ガイド面と、
前記溝切り装置本体に設けられており、前記外装材の裏面に摺接される裏面ガイド面と、
前記裏面ガイド面と平行な平面上において軸回りに回転されるようになっているとともに、外周部に刃部を設けられており、この刃部の回転軌跡を径方向に断面してなる回転軌跡断面形状は前記外装材に形成すべき前記取付溝の横断面形状に対応していて、該回転軌跡断面形状の少なくとも一方の側辺は前記回転刃物の回転軸に対し垂直な平面に対して傾斜した傾斜辺をなしている外装材用溝切り回転刃物と、
前記回転刃物を回転駆動する刃物駆動機構とを有してなり、
前記回転刃物の外周部が前記端面ガイド面から所定突出量だけ突出できるようになっているものである。
【手続補正５】
【補正対象書類名】明細書
【補正対象項目名】００１３
【補正方法】変更
【補正の内容】
【００１３】
さらに本発明による外装材の取付方法は、
建物の外装材を所要サイズとなるように切断する段階と、
軸回りに回転されるようになっているとともに、外周部に刃部を設けられており、この刃部の回転軌跡を径方向に断面してなる回転軌跡断面形状の少なくとも一方の側辺は前記回転刃物の回転軸に対し垂直な平面に対して傾斜した傾斜辺をなしている外装材用溝切り回転刃物を用意する段階と、
切断された前記外装材の端面に、前記回転刃物を回転させながら切り込ませることにより、前記端面に、前記回転軌跡断面形状に対応した横断面形状を有し、該外装材裏面側の側面が該外装材全体に対して傾斜した傾斜面をなす取付溝を形成する段階と、
前記取付溝の前記傾斜面に対応して傾斜する傾斜係合片と前記外装材の裏面に接することとなる裏面対向部とを備えた溝係合部を有する終端用取付金具を用意する段階と、
前記外装材のうちの前記取付溝より裏面側の部分に前記終端用取付金具の前記溝係合部を係合し、前記取付溝の前記傾斜面に前記傾斜係合片を、前記外装材の裏面に前記裏面対向部をそれぞれ接するとともに、前記終端用取付金具を躯体側材に取り付ける段階とを有してなるものである。
【手続補正６】
【補正対象書類名】明細書
【補正対象項目名】００２３
【補正方法】変更
【補正の内容】
【００２３】
前記傾斜面１７ａおよび非傾斜面１７ｂを含む基板１７の外周部には、ダイヤモンド砥粒層２１が電着等により固着されており、このダイヤモンド砥粒層２１を固着された部分により刃部２２が構成されている。図９に示されるように、刃部２２の径方向断面形状は、形成すべき取付溝１６の横断面形状に対応していて、この刃部２２の径方向断面形状の一方の側辺は回転刃物１４の回転軸に対し垂直な平面に対して傾斜した傾斜辺２２ａをなし、他方の側辺は前記回転軸に対し垂直な平面に対して平行な非傾斜辺２２ｂをなしている（これを上位概念で言い換えれば、刃部２２の回転軌跡を径方向に断面してなる回転軌跡断面形状は、形成すべき取付溝１６の横断面形状に対応していて、該回転軌跡の断面形状の一方の側辺が回転刃物１４の回転軸に対し垂直な平面に対して傾斜した傾斜辺をなし、他方の側辺が回転刃物１４の回転軸に対し垂直な平面に対して平行な非傾斜辺をなしている）。
【手続補正７】
【補正対象書類名】明細書
【補正対象項目名】００３１
【補正方法】変更
【補正の内容】
【００３１】
図１４は、刃部４４付近の、図１３のＸＩＶ−ＸＩＶ線矢視図、図１５は、回転刃物４０がその軸回りに回転されたときの刃部４４の回転軌跡を径方向に断面してなる回転軌跡断面形状４５を示す（回転軌跡断面形状４５は、図１４の方向から見た刃部４４とほぼ同じ図形となる）。このように刃部４４の回転軌跡を径方向に断面してなる回転軌跡断面形状４５の一方の側辺４５ａは回転刃物４０の回転軸に対し垂直な平面に対して傾斜した傾斜辺４５ａをなし、他方の側辺４５ｂは回転刃物４０の回転軸に対し垂直な平面に対して平行な非傾斜辺４５ｂをなしている。
【手続補正８】
【補正対象書類名】明細書
【補正対象項目名】００３８
【補正方法】変更
【補正の内容】
【００３８】
【図１】本発明の実施例１における規格サイズの外装材を示す断面図である。
【図２】実施例１における規格サイズの外装材をそのまま使用する場合の取付構造を示す断面図である。
【図３】実施例１において規格サイズの外装材を所要サイズに切断した状態を示す断面図である。
【図４】実施例１において切断された外装材の端面に取付溝を作成した状態を示す断面図である。
【図５】実施例１における回転刃物を示す斜視図である。
【図６】前記回転刃物を示す正面図である。
【図７】前記回転刃物を示す側面図である。
【図８】図６のＶＩＩＩ−ＶＩＩＩ線における断面図である。
【図９】図８の要部を示す拡大断面図である。
【図１０】実施例１における外装材用溝切り装置を示す断面図である。
【図１１】実施例１における外装材に対する取付溝の作成作業を示す断面図である。
【図１２】実施例１における終端用取付金具による切断された外装材の取付状態を示す断面図である。
【図１３】本発明の実施例２における回転刃物を示す正面図である。
【図１４】図１３のＸＩＶ−ＸＩＶ線矢視図である。
【図１５】実施例２の刃部の回転軌跡を径方向に断面してなる回転軌跡断面形状である。